(57)【要約】【課題】支持部材（フックハンガー）を用いて支持した場合に、正面の方向と左右の斜めの方向のいずれかに自由に向きを定めることができ、かつ、これらのいずれの方向に向きを定めた場合であっても、支持部材に対してぐらつくことなく固定されうる陳列商品表示体（プライスカードホルダー）を提供する。【解決手段】陳列商品表示体１は、価格等を表示するための表示部２と、その後方に設けられた取付部３を備えている。取付部３は、支持部材２０の第一の棒状部２１と嵌合させるための嵌合用孔６，７，８が、表示部２の幅方向に位置をずらして複数並設されている第一の成形部分４と、複数の嵌合用孔６，７，８のいずれに支持部材２０の第一の棒状部２１を嵌合させた場合であっても、支持部材２０の第二の棒状部２２を揺動させることなく固定して支持することのできるように形成されている第二の成形部分５を含む。【選択図】図１
0003108119.tif 000002
【実用新案登録請求の範囲】
【請求項１】
陳列商品に関する情報を表示するための表示部と、該表示部の後方に設けられた取付部とを備えた陳列商品表示体であって、
当該陳列商品表示体は、自由端を有する第一の棒状部と該第一の棒状部から折曲して延設された第二の棒状部とを含む棒状体を備えた支持部材の当該棒状体を嵌合させて支持することができるものであり、
当該陳列商品表示体の前記取付部は、
前記支持部材の第一の棒状部と嵌合させるための嵌合用孔が、前記表示部の幅方向に位置をずらして複数並設されている第一の成形部分と、
前記複数の嵌合用孔のいずれに前記支持部材の第一の棒状部を嵌合させた場合であっても、前記支持部材の第二の棒状部を揺動させることなく固定して支持することのできるように形成されている第二の成形部分を含むことを特徴とする陳列商品表示体。
【請求項２】
陳列商品に関する情報を表示するための表示部と、該表示部の後方に設けられた取付部とを備えた陳列商品表示体であって、
当該陳列商品表示体は、上方に延びかつ自由端を有する第一の棒状部と該第一の棒状部の下端にて折曲して水平方向に向かって延設された第二の棒状部とを含む棒状体を備えた支持部材の当該棒状体を嵌合させて支持することができるものであり、
当該陳列商品表示体の前記取付部は、
前記支持部材の第一の棒状部を下方から挿入して嵌合させるための嵌合用孔が、前記表示部の幅方向に位置をずらして複数並設されている第一の成形部分と、
前記複数の嵌合用孔のいずれに前記支持部材の第一の棒状部を嵌合させた場合であっても、前記支持部材の第二の棒状部を水平方向に揺動させることなく固定して支持することのできるように形成されている第二の成形部分を含むことを特徴とする陳列商品表示体。
【請求項３】
前記取付部の嵌合用孔は、前記表示部を正面の方向に向けるための第一の嵌合用孔と、前記表示部を左右いずれかの斜めの方向に向けるための、前記第一の嵌合用孔の左方および右方に位置する第二および第三の嵌合用孔とを含み、
前記取付部の第二の成形部分は、
前記第一の嵌合用孔に前記支持部材の棒状体の第一の棒状部を嵌合させた場合に、前記支持部材の棒状体の第二の棒状部を固定して支持することのできる第一の揺動防止用部分と、
前記第二または第三の嵌合用孔に前記支持部材の棒状体の第一の棒状部を嵌合させた場合に、前記支持部材の棒状体の第二の棒状部を固定して支持することのできる、前記第一の揺動防止用部分よりも低い位置に形成された第二の揺動防止用部分を含む請求項２に記載の陳列商品表示体。
【請求項４】
前記第二の揺動防止用部分は、前記支持部材の棒状体の第二の棒状部が通過し得る開口部と、該開口部の左右に形成された一対の側壁部を有するものであり、
前記一対の側壁部は、前記開口部の左右の一対の縁から前記複数の嵌合用孔の位置する内方に向かって形成された一対の内側の側壁部分と、前記開口部の左右の一対の縁から外方に向かって形成された一対の外側の側壁部分を含み、
前記第二または第三の嵌合用孔に前記支持部材の棒状体の第一の棒状部を嵌合させた場合に、前記一対の内側の側壁部分の片方と、該片方と前記開口部を隔てて対向する、前記一対の外側の側壁部分の片方とによって、前記支持部材の棒状体の第二の棒状部を挟み込んで支持することのできるように、前記一対の内側の側壁部分および前記一対の外側の側壁部分が形成されている請求項３に記載の陳列商品表示体。
【請求項５】
前記第二の揺動防止用部分は、前記支持部材の棒状体の第二の棒状部が通過し得る開口部と、該開口部の左右に形成された一対の側壁部を有するものであり、
該一対の側壁部は、前記開口部の左右の一対の縁から前記複数の嵌合用孔の位置する内方に向かって形成された一対の内側の側壁部分を含み、
前記第二または第三の嵌合用孔に前記支持部材の棒状体の第一の棒状部を嵌合させた場合に、前記一対の内側の側壁部分の片方と、該片方と前記開口部を隔てて対向する、前記開口部の一対の縁の片方とによって、前記支持部材の棒状体の第二の棒状部を挟み込んで支持することのできるように、前記開口部および前記一対の内側の側壁部分が形成されている請求項３に記載の陳列商品表示体。
【請求項６】
陳列商品表示体と、該陳列商品表示体を支持するための支持部材とからなる陳列商品表示用構造体であって、
前記陳列商品表示体は、陳列商品に関する情報を表示するための表示部と、該表示部の後方に設けられた取付部とを備えており、
前記支持部材は、自由端を有する第一の棒状部と該第一の棒状部から折曲して延設された第二の棒状部とを含む棒状体を備えたものであり、
前記陳列商品表示体の前記取付部は、
前記支持部材の第一の棒状部と嵌合させるための嵌合用孔が、前記表示部の幅方向に位置をずらして複数並設されている第一の成形部分と、
前記複数の嵌合用孔のいずれに前記支持部材の第一の棒状部を嵌合させた場合であっても、前記支持部材の第二の棒状部を揺動させることなく固定して支持することのできるように形成されている第二の成形部分を含むことを特徴とする陳列商品表示用構造体。
【考案の詳細な説明】
【技術分野】
【０００１】
本考案は、歯ブラシ等の同種の商品を多数吊り下げて陳列する際に、この商品の価格等を表示するために用いられる陳列商品表示体（プライスカードホルダー等）に関する。
【背景技術】
【０００２】
コンビニエンスストア、ドラッグストア等の商店において、同種の商品を多数吊り下げて陳列するための方法として、陳列台の所定の高さの地点にて、２本の平行に延びる棒状部を有するフックハンガーを水平方向に取り付け、これら２本の棒状部中の下側の棒状部に、歯ブラシ等の商品を多数吊り下げ、かつ、これら２本の棒状部中の上側の棒状部に、吊り上げられた商品の価格等を表示した陳列商品表示体（プライスカードホルダー等）を着脱可能に取り付けることが行われている。
しかし、陳列商品表示体の幅が商品の幅よりも大きい場合、隣り合って陳列される異種の商品間の間隔が、陳列商品表示体の幅によって規定されることになり、これら異種の商品間に無駄な空間が生じてしまう。
そのため、陳列商品表示体の向きを正面の方向から左右いずれかの斜めの方向に変えることによって、隣り合って配設されている陳列商品表示体間の間隔を狭めて、幅の小さい商品の陳列の密度を高めることが行われている。
このような陳列商品表示体の例として、図２０および図２１に示すように、カードホルダー部６１（値札６５を収容する部分）と一体構造のものとして形成された連結保持具６２が、鉛直方向に貫通して穿設された複数個のバー取付け孔６３を備えており、これら複数個のバー取付け孔６３に対するフックハンガー６４のバーの先端の挿着位置を変更することによって、カードホルダー部６１の左右方向の向きを変えるように構成された値札保持具６０が知られている（特許文献１）。
【特許文献１】特開２００２−２７８４６３
【考案の開示】
【考案が解決しようとする課題】
【０００３】
上述の文献に記載されている値札保持具６０は、複数個のバー取付け孔６３のいずれにフックハンガー６４のバーの先端（鉛直部）を挿着した場合であっても、フックハンガー６４のバーの水平部を挿通して支持されるようにするために、バーの径（Ｄ）よりもある程度大きな幅（Ｗ）（図１０参照）を有する開口部６６を有している。
そのため、特に、図２０に示すように、中央のバー取付け孔６３にフックハンガー６４のバーの先端（鉛直部）を挿着した場合には、開口部６６の幅方向におけるバーの遊び（可動範囲）が、Ｗ（開口部の幅）−Ｄ（バーの径）だけ生じることになり、その結果、値札保持具６０が、フックハンガー６４に対して若干のぐらつきを伴って支持されることになる。
そこで、本考案は、支持部材（例えば、フックハンガー）を用いて支持した場合に、正面の方向および左右の斜めの方向の中から選ばれる任意の方向に向きを変えることのできる陳列商品表示体（例えば、プライスカードホルダー）であって、前記のいずれの方向に向きを定めた場合であっても、支持部材に対してぐらつくことなく固定されうる陳列商品表示体を提供することを目的とする。
【課題を解決するための手段】
【０００４】
本考案者は、支持部材の先端部分（鉛直部）を嵌合させるための所定の複数の嵌合用孔を有する第一の成形部分と、支持部材の先端部分（鉛直部）から折曲して延設された部分（水平部）を固定して支持するための第二の成形部分を含むように、陳列商品表示体を形成させれば、前記課題を達成することができることを見出し、本考案を完成した。
すなわち、本考案は、以下の［１］〜［６］を提供するものである。
［１］  陳列商品（例えば、上端に吊り下げ用の孔を有する包装された歯ブラシ）に関する情報（例えば、価格等）を表示するための表示部（例えば、プライスカードを収容可能な表示板）と、該表示部の後方に設けられた取付部とを備えた陳列商品表示体であって、当該陳列商品表示体は、自由端を有する第一の棒状部（例えば、鉛直方向に延びる短尺の円柱体）と該第一の棒状部から折曲して延設された第二の棒状部（例えば、水平方向に延びる長尺の円柱体）とを含む棒状体を備えた支持部材の当該棒状体を嵌合させて支持することができるものであり、当該陳列商品表示体の前記取付部は、前記支持部材の第一の棒状部と嵌合させるための嵌合用孔が、前記表示部の幅方向（左右方向）に位置をずらして複数（例えば、３つ）並設されている第一の成形部分と、前記複数の嵌合用孔のいずれに前記支持部材の第一の棒状部を嵌合させた場合であっても、前記支持部材の第二の棒状部を揺動させることなく固定して支持することのできるように形成されている第二の成形部分を含むことを特徴とする陳列商品表示体。
【０００５】
［２］  陳列商品に関する情報を表示するための表示部と、該表示部の後方に設けられた取付部とを備えた陳列商品表示体であって、当該陳列商品表示体は、上方に延びかつ自由端を有する第一の棒状部と該第一の棒状部の下端にて折曲して水平方向に向かって延設された第二の棒状部とを含む棒状体を備えた支持部材の当該棒状体を嵌合させて支持することができるものであり、当該陳列商品表示体の前記取付部は、前記支持部材の第一の棒状部を下方から挿入して嵌合させるための嵌合用孔が、前記表示部の幅方向に位置をずらして複数並設されている第一の成形部分と、前記複数の嵌合用孔のいずれに前記支持部材の第一の棒状部を嵌合させた場合であっても、前記支持部材の第二の棒状部を水平方向に揺動させることなく固定して支持することのできるように形成されている第二の成形部分を含むことを特徴とする陳列商品表示体。
［３］  前記取付部の嵌合用孔は、前記表示部を正面の方向に向けるための第一の嵌合用孔と、前記表示部を左右いずれかの斜めの方向に向けるための、前記第一の嵌合用孔の左方および右方に位置する第二および第三の嵌合用孔とを含み、前記取付部の第二の成形部分は、前記第一の嵌合用孔に前記支持部材の棒状体の第一の棒状部を嵌合させた場合に、前記支持部材の棒状体の第二の棒状部を固定して支持することのできる第一の揺動防止用部分（例えば、支持部材の棒状体の第二の棒状部の径に合致させた径を有する断面が逆Ｕ字状の内周面を有する半円筒形状の部分）と、前記第二または第三の嵌合用孔に前記支持部材の棒状体の第一の棒状部を嵌合させた場合に、前記支持部材の棒状体の第二の棒状部を固定して支持することのできる、前記第一の揺動防止用部分よりも低い位置に形成された第二の揺動防止用部分（例えば、前記の半円筒形状の部分の下端から下方に拡開して延びる部分）を含む前記［２］の陳列商品表示体。
【０００６】
［４］  前記第二の揺動防止用部分は、前記支持部材の棒状体の第二の棒状部が通過し得る開口部と、該開口部の左右に形成された一対の側壁部を有するものであり、前記一対の側壁部は、前記開口部の左右の一対の縁から前記複数の嵌合用孔の位置する内方に向かって形成された一対の内側の側壁部分と、前記開口部の左右の一対の縁から外方に向かって形成された一対の外側の側壁部分を含み、前記第二または第三の嵌合用孔に前記支持部材の棒状体の第一の棒状部を嵌合させた場合に、前記一対の内側の側壁部分の片方と、該片方と前記開口部を隔てて対向する、前記一対の外側の側壁部分の片方とによって、前記支持部材の棒状体の第二の棒状部を挟み込んで支持することのできるように、前記一対の内側の側壁部分および前記一対の外側の側壁部分が形成されている前記［３］の陳列商品表示体。
［５］  前記第二の揺動防止用部分は、前記支持部材の棒状体の第二の棒状部が通過し得る開口部と、該開口部の左右に形成された一対の側壁部を有するものであり、該一対の側壁部は、前記開口部の左右の一対の縁から前記複数の嵌合用孔の位置する内方に向かって形成された一対の内側の側壁部分を含み、前記第二または第三の嵌合用孔に前記支持部材の棒状体の第一の棒状部を嵌合させた場合に、前記一対の内側の側壁部分の片方と、該片方と前記開口部を隔てて対向する、前記開口部の一対の縁の片方とによって、前記支持部材の棒状体の第二の棒状部を挟み込んで支持することのできるように、前記開口部および前記一対の内側の側壁部分が形成されている前記［３］の陳列商品表示体。
【０００７】
［６］  陳列商品表示体と、該陳列商品表示体を支持するための支持部材とからなる陳列商品表示用構造体であって、前記陳列商品表示体は、陳列商品に関する情報を表示するための表示部と、該表示部の後方に設けられた取付部とを備えており、前記支持部材は、自由端を有する第一の棒状部と該第一の棒状部から折曲して延設された第二の棒状部とを含む棒状体を備えたものであり、前記陳列商品表示体の前記取付部は、前記支持部材の第一の棒状部と嵌合させるための嵌合用孔が、前記表示部の幅方向に位置をずらして複数並設されている第一の成形部分と、前記複数の嵌合用孔のいずれに前記支持部材の第一の棒状部を嵌合させた場合であっても、前記支持部材の第二の棒状部を揺動させることなく固定して支持することのできるように形成されている第二の成形部分を含むことを特徴とする陳列商品表示用構造体。
【考案の効果】
【０００８】
本考案の陳列商品表示体は、支持部材を用いて支持した場合に、正面の方向および左右の斜めの方向の中から選ばれる任意の方向に向きを変えることができるので、陳列する商品の幅が広い場合には、正面の方向に向きを定め、また、陳列する商品の幅が狭い場合には、左右いずれかの斜めの方向に向きを定めて、隣り合う陳列商品表示体間の距離を狭めるという使用方法が可能であり、商品の陳列の密度を常に高く維持することができると同時に、これらいずれの場合においても、第二の成形部分の存在によって、支持部材にぐらつくことなく固定されるので、常に整然とした状態に保つことができ、使用時の外観も良好となる。
また、本考案の陳列商品表示体を前記［３］の形態に作製した場合には、第二の揺動防止用部分を多段（例えば、２段）に形成することによって、左右の斜めの方向に向きを定める際の角度を多段階（例えば、６０度と４５度の２段階）に定めることができる。
【考案を実施するための最良の形態】
【０００９】
以下、図面に基づいて本考案の陳列商品表示体の一例を説明する。
図１は、本考案の陳列商品表示体の一例を示す斜視図、図２は、図１に示す陳列商品表示体の正面図、図３は、図１に示す陳列商品表示体の平面図、図４は、図１に示す陳列商品表示体の底面図、図５は、図１に示す陳列商品表示体の右側面図、図６は、図１に示す陳列商品表示体の背面図、図７は、図２中のＡ−Ａ線で切断した状態を示す断面図、図８は、図１に示す陳列商品表示体と支持部材とを組み合わせてなる陳列商品表示用構造体の一例を示す斜視図、図９は、図８に示す陳列商品表示用構造体の正面図、図１０は、図８に示す陳列商品表示用構造体の底面図、図１１は、図８に示す陳列商品表示用構造体の向きを左方の斜めの方向に定めた状態を示す斜視図、図１２は、図１１に示す陳列商品表示用構造体の正面図、図１３は、図１１に示す陳列商品表示用構造体の底面図、図１４は、図８に示す陳列商品表示用構造体の向きを右方の斜めの方向に定めた状態を示す正面図、図１５は、図１４に示す陳列商品表示用構造体の底面図、図１６は、図１に示す陳列商品表示体における取付部の他の形態例を示す底面図、図１７は、図１に示す陳列商品表示体の使用状態を示す図、図１８は、本考案の陳列商品表示体の他の形態例を示す平面図、図１９は、本考案の陳列商品表示体の他の形態例を示す正面図である。
なお、図面では、本考案の陳列商品表示体１の特徴部分である取付部３を正面から見た図を、正面図としている。ただし、本明細書中においては、本考案の陳列商品表示体１が商品の価格等の表示手段であることから、陳列商品表示体１の表示部２の側を「前方」とし、取付部３の側を「後方」とするとともに、取付部３に関する左右方向については、取付部３を正面から見た場合（図１）における方向を示すものとする。
【００１０】
図１中、本考案の陳列商品表示体１は、陳列商品に関する情報を表示するための表示部２と、表示部２の後方に設けられた取付部３を備えている。
ここで、「陳列商品」とは、支持部材２０によって支持することのできる複数の同種の商品（図１７参照）であって、例えば、上端に吊り下げ用の孔を有する包装された歯ブラシ等が挙げられる。
「陳列商品に関する情報」とは、例えば、商品名、価格等が挙げられる。「陳列商品に関する情報」は、通常、プライスカードを用いて表示される。
表示部２は、図１および図６に示すように、平板部９と、プライスカード（図示せず）を着脱可能に装着するためのカード保持部１２，１３を備えている。平板部９の上端の中央には、プライスカードの装着作業を容易にするための半円状の切欠部１１が設けられている。
【００１１】
取付部３は、第一の成形部分４と第二の成形部分５を備えている。
第一の成形部分４は、表示部２の裏面の後方に形成された外壁部４ａと、表示部２の裏面に一体的に形成された鉛直方向に延びる２本の帯状の凸部４ｂとから構成されている。また、第一の成形部分４は、外壁部４ａおよび帯状の凸部４ｂによって形成された空洞部分として、支持部材２０の第一の棒状部２１（図８参照）と嵌合させるための複数の嵌合用孔（第一の嵌合用孔６，第二の嵌合用孔７および第三の嵌合用孔８）を有する。これらの嵌合用孔６，７，８は、いずれも軸線が鉛直方向に延びるように形成されており、また、水平方向の相互の位置関係については、表示部２の幅方向に位置をずらして、相互間に隔壁を有さず連続的に連通して形成されている。
これらの嵌合用孔６，７，８は、各々、支持部材２０の第一の棒状部２１を下方から挿通して、ぐらつくことなく嵌合させることのできる形状に形成されている（図８〜図１３参照）。
なお、嵌合用孔６，７，８は、支持部材２０の第一の棒状部２１の形状に対応して、下方から上方に所定の深さだけ延びるように形成されていればよく、必ずしも鉛直方向に貫通している必要はない。
【００１２】
なお、複数の嵌合用孔６，７，８は、表示部２の幅方向（左右方向）に位置をずらして適宜の位置に並設されていればよく、図１に示すようなこれら３つの孔６，７，８の中心を直線で結びうるもの以外に、種々の形態をとることができる。
例えば、図１８中の（ａ）に示す陳列商品表示体３１の表示部３２の後方に設けられた取付部３３は、第一の嵌合用孔３６と、第一の嵌合用孔３６の左後方に連通して形成された第二の嵌合用孔３７と、第三の嵌合用孔３６の右後方に連通して形成された第三の嵌合用孔３８とを有する第一の成形部分３４と、第二の成形部分３５とから形成されている。
図１８中の（ｂ）に示す陳列商品表示体４１の表示部４２の後方に設けられた取付部４３は、第一の嵌合用孔４６と、第一の嵌合用孔４６の左後方に隔壁を介在して独立して形成された第二の嵌合用孔４７と、第三の嵌合用孔４６の右後方に隔壁を介在して独立して形成された第三の嵌合用孔４８とを有する第一の成形部分４４と、第二の成形部分４５とから形成されている。
【００１３】
図１中、第二の成形部分５は、第一の成形部分４の外壁部４ａの下側の領域から後方に向かって突出して形成された部分であり、鉛直方向の断面が逆Ｕ字形である半円筒形状に形成された第一の揺動防止用部分１４と、第一の揺動防止用部分１４の下端から下方に延びて形成された第二の揺動防止用部分１５を備えている。
このうち、第一の揺動防止用部分１４は、図８〜図１０に示すように、支持部材２０の第一の棒状部２１を第一の嵌合用孔６に嵌合させた場合に、支持部材２０の第二の棒状部２２を嵌合させて揺動不能に支持するための部分である。第一の揺動防止用部分１４の内壁面は、例えば、支持部材２０の第二の棒状部２２の径に対応させた形状を有するように形成すればよい。
【００１４】
一方、第二の揺動防止用部分１５は、図１１〜図１５に示すように、支持部材２０の第一の棒状部２１を第二の嵌合用孔７または第三の嵌合用孔８に嵌合させた場合に、支持部材２０の第二の棒状部２２を嵌合させて揺動不能に支持するための部分である。
第二の揺動防止用部分１５は、図２および図４に示すように、第一の成形部分４の外壁部４ａの下側の領域から後方に延びて形成された一対の内側の側壁部分１７と、一対の内側の側壁部分１７の後方側の端部から折曲して後方に向かって形成された一対の外側の側壁部分１８とからなる。
一対の内側の側壁部分１７は、各々、鉛直方向に延びる平坦な内面を有しており、これらの平坦な内面は、後方に向かうにつれて相互の距離を次第に狭めるように形成されている。一対の外側の側壁部分１８は、各々、鉛直方向に延びる平坦な内面を有しており、これらの平坦な内面は、後方に向かうにつれて相互の距離を次第に広げるように形成されている。したがって、一対の内側の側壁部分１７の内面と、一対の外側の側壁部分１８の内面との境目は、取付部３を正面から見た場合の開口部１６の輪郭を形成している（図２および図７参照）。
【００１５】
支持部材２０の第一の棒状部２１を第三の嵌合用孔８に嵌合させた場合には、図１１〜図１３に示すように、支持部材２０の第二の棒状部２２は、第三の嵌合用孔８の側に位置する内側の側壁部分１７と、第三の嵌合用孔８と反対側（第二の嵌合用孔７の側）に位置する外側の側壁部分１８とによって、挟み込んで支持される。
支持部材２０の第一の棒状部２１を第二の嵌合用孔７に嵌合させた場合には、図１４〜図１５に示すように、支持部材２０の第二の棒状部２２は、第二の嵌合用孔７の側に位置する内側の側壁部分１７と、第二の嵌合用孔７と反対側（第三の嵌合用孔８の側）に位置する外側の側壁部分１８とによって、挟み込んで支持される。
第一の成形部分４および第二の成形部分５は、図１に示すように一体的に形成してもよいし、あるいは各々独立して離間した形態に形成してもよい。また、第一の成形部分４は、図１に示すように各々独立して離間した２つ以上の成形部分（４ａ、４ｂ）から構成してもよいし、図１８に示すように一体的に形成してもよい。第二の成形部分５は、通常、図１に示すように一体的に形成されるが、各々独立して離間した２つ以上の成形部分から構成することも可能である。
【００１６】
なお、外側の側壁部分１８は、図１６に示すように、省略することができる。この場合、支持部材２０は、次のように支持される。
支持部材２０の第一の棒状部２１を第三の嵌合用孔８に嵌合させた場合には、支持部材２０の第二の棒状部２２は、第三の嵌合用孔８の側に位置する内側の側壁部分１７と、第三の嵌合用孔８と反対側（第二の嵌合用孔７の側）に位置する開口部１６の縁１９とによって、挟み込んで支持される。ここでの縁１９は、第二の嵌合用孔７の側に形成された内側の側壁部分１７の後方側の端部でもある。
支持部材２０の第一の棒状部２１を第二の嵌合用孔７に嵌合させた場合には、支持部材２０の第二の棒状部２２は、第二の嵌合用孔７の側に位置する内側の側壁部分１７と、第二の嵌合用孔７と反対側（第三の嵌合用孔８の側）に位置する開口部１６の縁１９とによって、挟み込んで支持される。ここでの縁１９は、第三の嵌合用孔８の側に形成された内側の側壁部分１７の後方側の端部でもある。
【００１７】
陳列商品表示体１を左右いずれかの方向に斜めに向ける場合の傾斜角度は、正面を向いた状態（図１０）を基準（０度）として、適当な角度（例えば、３０度）に定めることができる（図１３および図１５参照）。この傾斜角度は、第二の揺動防止用部分１５の形状を設計変更することによって、所望の大きさに変えることができる。
また、この傾斜角度を２段階以上に定めることもできる。例えば、図１９に示す陳列商品表示体５１は、図１に示す陳列商品表示体１の嵌合用孔６，７，８と同じ位置でかつそれらよりも長い嵌合用孔を有するように形成した第一の成形部分５４と、第一の成形部分５４の後方に連続的に形成した第二の成形部分５５とからなるものであり、第二の成形部分５５によって２段階に傾斜角度を変えることができるように構成されている。
すなわち、第二の成形部分５５は、図１に示す陳列商品表示体１の第一の揺動防止用部分１４と同様に形成された第一の揺動防止用部分５５ａと、図１に示す陳列商品表示体１の第二の揺動防止用部分１５と同様に形成された第二の揺動防止用部分５５ｂと、第二の揺動防止用部分５５ｂの下端から下方に延びて形成された第三の揺動防止用部分５５ｃを備えている。そして、第二の揺動防止用部分５５ｂによって、陳列商品表示体５１の向きを、正面の方向を基準（０度）として、例えば３０度の斜めの角度に定めることができる。また、第三の揺動防止用部分５５ｃによって、陳列商品表示体５１の向きを、正面の方向を基準（０度）として、例えば４５度の斜めの角度に定めることができる。
この場合、陳列商品表示体５１は、右方４５度、右方３０度、正面（０度）、左方３０度、左方４５度の合計５つの向きを自由に選択可能なものとなる。
【００１８】
次に、本考案の陳列商品表示体の使用方法について説明する。
図１７中、支持部材２０は、第一の棒状部（鉛直部）２１と、第二の棒状部（水平部）２２と、第三の棒状部（鉛直部）２３と、第四の棒状部（水平部）２４と、第五の棒状部（傾斜部）２５とを備えた棒状体に対して、板体２７とフック２８とを備えた取付部２６を固着させてなる。
商品陳列台（図示せず）にフック２８を掛けて支持部材２０を取り付けた後、支持部材２０の第四の棒状部２４に商品２９を吊り下げるとともに、支持部材２０の第一の棒状部２１および第二の棒状部２２に、陳列商品表示体１を取り付ければ、商品の陳列が完了する。その後、商品２９の幅の広狭に合わせて、陳列商品表示体１の向きを正面の方向または左右いずれかの斜めの方向に変更することによって、商品２９の陳列の密度を常に高く維持することができる。
【図面の簡単な説明】
【００１９】
【図１】本考案の陳列商品表示体の一例を示す斜視図である。
【図２】図１に示す陳列商品表示体の正面図である。
【図３】図１に示す陳列商品表示体の平面図である。
【図４】図１に示す陳列商品表示体の底面図である。
【図５】図１に示す陳列商品表示体の右側面図である。
【図６】図１に示す陳列商品表示体の背面図である。
【図７】図２中のＡ−Ａ線で切断した状態を示す断面図である。
【図８】図１に示す陳列商品表示体と、支持部材とを組み合わせてなる陳列商品表示用構造体の一例を示す斜視図である。
【図９】図８に示す陳列商品表示用構造体の正面図である。
【図１０】図８に示す陳列商品表示用構造体の底面図である。
【図１１】図８に示す陳列商品表示用構造体の向きを左方の斜めの方向に定めた状態を示す斜視図である。
【図１２】図１１に示す陳列商品表示用構造体の正面図である。
【図１３】図１１に示す陳列商品表示用構造体の底面図である。
【図１４】図８に示す陳列商品表示用構造体の向きを右方の斜めの方向に定めた状態を示す正面図である。
【図１５】図１４に示す陳列商品表示用構造体の底面図である。
【図１６】図１に示す陳列商品表示体における取付部の他の形態例を示す底面図である。
【図１７】図１に示す陳列商品表示体の使用状態を示す図である。
【図１８】本考案の陳列商品表示体の他の形態例を示す平面図である。
【図１９】本考案の陳列商品表示体の他の形態例を示す正面図である。
【図２０】従来の陳列商品表示体（値札保持具）の一例を示す平面図である。
【図２１】図２０に示す従来の陳列商品表示体をＢ−Ｂ線で切断した状態を示す断面図である。
【符号の説明】
【００２０】
１，３１，４１，５１    陳列商品表示体（プライスカードホルダー）
２，３２，４２    表示部
３，３３，４３    取付部
４，３４，４４，５４    第一の成形部分
４ａ    外壁部
４ｂ    帯状凸部
５，３５，４５，５５    第二の成形部分
５５ａ    第一の揺動防止用部分
５５ｂ    第二の揺動防止用部分
５５ｃ    第三の揺動防止用部分
６，３６，４６    第一の嵌合用孔
７，３７，４７    第二の嵌合用孔
８，３８，４８    第三の嵌合用孔
９    平板部
１１    切欠部
１２，１３    カード保持部
１４    第一の揺動防止用部分
１５    第二の揺動防止用部分
１６    開口部
１７    内側の側壁部分
１８    外側の側壁部分
１９    開口部の縁
２０    支持部材（フックハンガー）
２１    第一の棒状部（鉛直部）
２２    第二の棒状部（水平部）
２３    第三の棒状部（鉛直部）
２４    第四の棒状部（水平部）
２５    第五の棒状部（傾斜部）
２６    取付部
２７    板体
２８    フック
２９    商品
６０    従来の陳列商品表示体
６１    カードホルダー部
６２    連結保持具
６３    バー取付け孔
６４    フックハンガー
６５    プライスカード
６６    開口部
【図１】
0003108119.tif 000003
【図２】
0003108119.tif 000004
【図３】
0003108119.tif 000005
【図４】
0003108119.tif 000006
【図５】
0003108119.tif 000007
【図６】
0003108119.tif 000008
【図７】
0003108119.tif 000009
【図８】
0003108119.tif 000010
【図９】
0003108119.tif 000011
【図１０】
0003108119.tif 000012
【図１１】
0003108119.tif 000013
【図１２】
0003108119.tif 000014
【図１３】
0003108119.tif 000015
【図１４】
0003108119.tif 000016
【図１５】
0003108119.tif 000017
【図１６】
0003108119.tif 000018
【図１７】
0003108119.tif 000019
【図１８】
0003108119.tif 000020
【図１９】
0003108119.tif 000021
【図２０】
0003108119.tif 000022
【図２１】
0003108119.tif 000023